(57)【特許請求の範囲】
【請求項１】
少なくとも２種類のオプションボードの夫々に対応させた位置決めリブを有するホルダを無線機本体に固定し、前記ホルダにより位置決めされたオプションボードを無線機のカバーによりゴムパッキンを介して押さえてオプションボードを無線機本体に装着することを特徴とする無線機のオプションボード装着装置。
【請求項２】
前記夫々のオプションボードが無線機本体に装着された状態でオプションボードに設けられたボード側コネクタが無線機本体に固定された単一の本体側コネクタに接続される請求項１の無線機のオプションボード装着装置。
【請求項３】
前記本体側コネクタおよびホルダが無線機本体に固定されるプリント基板に固定されている請求項１または２の無線機のオプションボード装着装置。
【請求項４】
前記ゴムパッキンに前記ホルダのオプションボードに対して傾斜する傾斜面を設け、この傾斜面によりオプションボードの角を押さえるように構成した請求項１から３のいずれかに記載した無線機のオプションボード装着装置。
【請求項５】
少なくとも２種類のオプションボードの内のいずれかを無線機本体内に載置することでオプションボードのコネクタを無線機本体に固定された単一の本体側コネクタに接続し、前記各オプションボードの夫々に対応させた位置決めリブを有するゴムハッキンによりオプションボードを押えてオプションボードを無線機本体に装着することを特徴とする無線機のオプションボード装着装置。
【発明の詳細な説明】
【技術分野】
【０００１】
この発明は無線機に係わり、特に、そのオプションボード装着装置に関する。
【背景技術】
【０００２】
従来から業務用無線機にはオプションボード（機能拡張ボード）が複数個準備されたものがあった。これらのオプションボードにはサイズの異なるものが存在することがあつた。そして、選択された１個のオプションボードが無線機に装着される。
【０００３】
そして、全てのオプションボードに対応させるために、図８に示すように、オプションボード１２の上下面に夫々両面テープ付クッション９および１０を貼付けた後、図７に示すように、無線機本体１にスペーサ１１を介在させてオプションボード１２が装着されて図示していないカバーにより押えられる。
【０００４】
この状態でオプションボード１２のコネクタ１２ａは無線機本体１内のプリント基板２に実装された本体側コネクタ３に接続された状態となる。そして、オプションボード１２と無線機本体１の間にクッションが介在しているため、特にハンディー機において落下衝撃によるオプションボード１２のコネクタ１２ａの破損が防止される。
【発明の開示】
【発明が解決しようとする課題】
【０００５】
上記した従来の無線機のオプションボード装着方法によると、クッションや樹脂性のスペーサをオプションボードまたは無線機に付属させる必要があるため、部品点数が多くなり、製造コストが高くなるという問題あった。
【０００６】
また、オプションボードにクッションを貼付けたり、オプションボードと無線機の間にスペーサを介在させるためにオプションボードの装着に手間がかかるという問題があった。
【０００７】
この発明は上記した点に鑑みてなされたものであって、その目的とするところは、部品点数が少なく、簡単にオプションボードの装着が行える無線機のオプションボード装着装置を提供することにある。
【課題を解決するための手段】
【０００８】
この発明の無線機のオプションボード装着装置は、少なくとも２種類のオプションボードの夫々に対応させた位置決めリブを有するホルダを無線機本体に固定し、前記ホルダにより位置決めされたオプションボードを無線機のカバーによりゴムパッキンを介して押さえてオプションボードを無線機本体に装着するものである。
【０００９】
また、前記無線機のオプションボード装着装置において、前記夫々のオプションボードが無線機本体に装着された状態でオプションボードに設けられたボード側コネクタが無線機本体に固定された単一の本体側コネクタに接続されるものである。
【００１０】
また、前記各無線機のオプションボード装着装置において、前記本体側コネクタおよびホルダが無線機本体に固定されるプリント基板に固定されているものである。
【００１１】
また、前記各無線機のオプションボード装着装置において、前記ゴムパッキンに前記ホルダのオプションボードに対して傾斜する傾斜面を設け、この傾斜面によりオプションボードの角を押さえるように構成したものである。
【００１２】
また、この発明の無線機のオプションボード装着装置は、少なくとも２種類のオプションボードの内のいずれかを無線機本体内に載置することでオプションボードのコネクタを無線機本体に固定された単一の本体側コネクタに接続し、前記各オプションボードの夫々に対応させた位置決めリブを有するゴムハッキンによりオプションボードを押えてオプションボードを無線機本体に装着するものである。
【発明の効果】
【００１３】
この発明の無線機のオプションボード装着装置によれば、従来使用していた弾性クッションやスペーサが必要でなくなるため部品点数が少なくなり、弾性クッションを定位置に貼る作業がなく、オプションボードを容易に装着でき、さらに、作業不良がなくなる。
【発明を実施するための最良の形態】
【００１４】
以下この発明を実施するための最良の形態を実施例に即して説明する。図１にこの発明の実施例である無線機のオプションボード装着装置を示す。図１に示すオプションボードＡ，７またはオプションボードＢ、８のいずれか一方が無線機本体１に装着される。
【００１５】
無線機本体１に固定されるプリント基板２には本体側コネクタ３が実装されている。そして、ホルダ４がプリント基板２に締着されている。このホルダ４に後で説明するようにオプションボードＡ，７またはオプションボードＢ、８のいずれかが位置決めされると共に、オプションボードの図示していないコネクタが本体側コネクタ３に接続され後、ゴムパッキン５の嵌着されたカバー６が無線機本体１に締着されてオプションボード装着作業が終了する。
【００１６】
図２にオプションボードＡ、７がホルダ４に位置決めされた状態を示す。図に示すようにオプションボードＡ、７はホルダ４の位置決めリブ４ｂ、４ｂおよび位置決めリブ４ｄ、４ｄにより図における左右方向の位置が決められ、位置決めリブ４ｃ、４ｃにより図における上下方向の位置が決められる。
【００１７】
このように位置決めされたオプションボードＡ、７は図４に示すようにゴムパッキン５の傾斜面５ａにより下方向に押えられてオプションボードＡ、７が無線機本体１内に固定されて装着作業が完了する。
【００１８】
図３にオプションボードＢ、８がホルダ４に位置決めされた状態を示す。図に示すようにオプションボードＢ、８はホルダ４の位置決めリブ４ａ、４ａおよび位置決めリブ４ｅにより図における左右方向の位置が決められ、位置決めリブ４ｂ、４ｂにより図における上下方向の位置が決められる。
【００１９】
このように位置決めされたオプションボードＢ、８は図５に示すようにゴムパッキン５の傾斜面５ａにより下方向に押えられてオプションボードＢ、が無線機本体１内に固定されて装着作業が完了する。
【００２０】
実施例の無線機のオプションボード装着装置では、クッションの貼付け作業やスペーサの設置作業が必要でないため、オプションボードを簡単かつ作業不良が発生する恐れなく装着することができる。
【００２１】
また、プリント基板に固定されたホルダにオプションボードが位置決めされ、オプションボードのコネクタがプリント基板に設けられたコネクタと嵌合しているため、オプションボードがプリント基板に取付けられた状態でプリント基板を無線機本体から外すことが可能となり、メインテナンスの作業性も向上する。
【００２２】
実施例は以上のように構成されているが発明はこれに限られず、例えば、ホルダに位置決めリブを設ける代わりに、ゴムパッキンに少なくとも２種類のオプションボードの夫々に対応させた位置決めリブを設けて、クッションやスペーサ用いることなく、少なくとも２種類のオプションボードを装着できるようにしてもよい。
【図面の簡単な説明】
【００２３】
【図１】この発明の実施例である無線機のオプションボード装着装置を示す分解斜視図である。
【図２】同オプションボード装着装置を示す平面図である。
【図３】同オプションボード装着装置の他の状態を示す平面図である。
【図４】同オプションボード装着装置を示す部分断面図である。
【図５】同オプションボード装着装置の他の状態を示す部分断面図である。
【図６】同オプションボード装着装置の部材を示す部分斜視図である。
【図７】従来の無線機のオプションボード装着装置の例を示す分解斜視図である。
【図８】同オプションボード装着装置の部分を示す分解斜視図である。
【符号の説明】
【００２４】
１  無線機本体
２  プリント基板
３  本体側コネクタ
４  ホルダ、４ａ、４ｂ、４ｃ、４ｄ、４ｅ  位置決めリブ
５  ゴムパッキン、５ａ  傾斜面
６  カバー
７  オプションボードＡ
８  オプションボードＢ
９  クッション
１０  クッション
１１  スペーサ
１２  オプションボード、１２ａ  コネクタ
【図１】
0004893496.tif 000002
【図２】
0004893496.tif 000003
【図３】
0004893496.tif 000004
【図４】
0004893496.tif 000005
【図５】
0004893496.tif 000006
【図６】
0004893496.tif 000007
【図７】
0004893496.tif 000008
【図８】
0004893496.tif 000009